(57)【要約】      （修正有）【課題】歩留まりを向上させることができる表示装置を提供する。【解決手段】表示装置において、表示パネルはパッドを通じて駆動チップ１２０から駆動信号の入力を受け、駆動信号に応答して画像を表示する。前記駆動チップ１２０は駆動信号を出力する端子ＯＴ１を有する。表示パネルと前記駆動チップ１２０は異方性導電フィルム１３０によって表示パネル上に付着され、表示パネルと電気的に接続される。潤滑層１４０は前記異方性導電フィルム１３０の表面上に形成され、表示パネル上に前記駆動チップ１２０を付着する過程で発生する電気的な接続不良を防止する。従って、表示装置の歩留まりを向上させることができる。【選択図】  図６
2006209083.tif 000002
【特許請求の範囲】
【請求項１】
パッドを通じて駆動信号の入力を受け、前記駆動信号に応答して画像を表示する表示パネルと、
前記駆動信号を前記表示パネルに出力する端子を有する駆動チップと、
前記表示パネルと前記駆動チップとの間に介在され前記端子と前記パッドとを電気的に接続するための異方性導電フィルムと、
前記異方性導電フィルムの表面上に形成された潤滑層とを含むことを特徴とする表示装置。
【請求項２】
前記潤滑層は、前記駆動チップと前記異方性導電フィルムとの間、または前記表示パネルと前記異方性導電フィルムとの間のうちいずれか一つに介在されることを特徴とする請求項１記載の表示装置。
【請求項３】
前記潤滑層は、前記表示パネルと前記異方性導電フィルムとの間、及び前記駆動チップと前記異方性導電フィルムとの間に介在されることを特徴とする請求項１記載の表示装置。
【請求項４】
前記潤滑層は、オイルを含むことを特徴とする請求項１記載の表示装置。
【請求項５】
前記潤滑層は、シリコンを含むことを特徴とする請求項１記載の表示装置。
【請求項６】
前記異方性導電フィルムは、
前記駆動チップを前記表示パネルに固定させる接着樹脂と、前記接着樹脂内に不規則的に分布され、前記パッドと前記端子とを電気的に接続させる複数の導電粒子と、を含むことを特徴とする請求項１記載の表示装置。
【請求項７】
前記駆動チップは、
長辺、及び前記長辺に垂直な短辺を有するベース本体と、
前記ベース本体の一面に形成され、前記一面の第１端部に前記長辺に沿って配列される複数の第１端子と、
前記第１端部から前記短辺に沿って所定距離に離隔した第２端部に形成され、前記長辺に沿って配列される複数の第２端子と、
前記第１端部と隣接する第３端部に前記短辺に沿って配列される複数の第３端子と、
前記第３端部から前記長辺に沿って所定距離に離隔して第４端部に形成され、前記短辺に沿って配列される複数の第４端子とを含むことを特徴とする請求項１記載の表示装置。
【請求項８】
前記複数の第３及び第４端子は、前記第３及び第４端部でそれぞれ２列に配列されることを特徴とする請求項７記載の表示装置。
【請求項９】
前記パッドは、
前記表示パネルのゲートラインから延長され前記駆動信号のうちゲート信号の入力を受けるゲートパッドと、
前記表示パネルのデータラインから延長され前記駆動信号のうちデータ信号の入力を受けるデータパッドと、を含むことを特徴とする請求項１記載の表示装置。
【請求項１０】
前記駆動チップは、
前記ゲート信号を出力するゲート駆動チップと、前記データ信号を出力するデータ駆動チップと、を含むことを特徴とする請求項９記載の表示装置。
【請求項１１】
パッドを通じて駆動信号の入力を受け、前記駆動信号に応答して画像を表示する表示パネルと、
前記駆動信号を前記表示パネルに提供するワイヤーを有するフレキシブルフィルムと、
前記表示パネルと前記フレキシブルフィルムとの間に介在され前記パッドと前記ワイヤーとの間を電気的に接続するための異方性導電フィルムと、
前記異方性導電フィルムの表面上に形成された潤滑層とを含むことを特徴とする表示装置。
【請求項１２】
前記潤滑層は、前記フレキシブルフィルムと前記異方性導電フィルムとの間、または前記表示パネルと前記異方性導電フィルムとの間のうち、いずれか一つに介在されることを特徴とする請求項１１記載の表示装置。
【請求項１３】
前記潤滑層は、前記表示パネルと前記異方性導電フィルムとの間、及び前記フレキシブルフィルムと前記異方性導電フィルムとの間に介在されることを特徴とする１１記載の表示装置。
【請求項１４】
前記潤滑層は、オイルまたはシリコンを含むことを特徴とする請求項１１記載の表示装置。
【請求項１５】
前記異方性導電フィルムは、
前記フレキシブルフィルムを前記表示パネルに固定させる接着樹脂と、前記接着樹脂内に不規則的に分布され、前記パッドと前記ワイヤーとを電気的に接続させる導電粒子とを含むことを特徴とする請求項１１記載の表示装置。
【請求項１６】
前記フレキシブルフィルムは、テープキャリアパッケージであることを特徴とする請求項１１記載の表示装置。
【請求項１７】
前記パッドは、
前記表示パネルのゲートラインから延長され前記駆動信号のうちゲート信号の入力を受けるゲートパッドと、
前記表示パネルのデータラインから延長され前記駆動信号のうちデータ信号の入力を受けるデータパッドとを含むことを特徴とする請求項１１記載の表示装置。  
【請求項１８】
前記フレキシブルフィルム上に実装され前記駆動信号を出力する駆動チップをさらに含むことを特徴とする請求項１７記載の表示装置。  
【請求項１９】
前記フレキシブルフィルムは、
前記駆動チップのうち前記ゲート信号を出力するゲート駆動チップが実装され、前記ゲート信号を前記ゲートパッドに提供するゲート側フレキシブルフィルムと、
前記駆動チップのうち前記データ信号を出力するデータ駆動チップが実装され、前記データ信号を前記データパッドに提供するデータ側フレキシブルフィルムとを含むことを特徴とする請求項１８記載の表示装置。
【発明の詳細な説明】
【技術分野】
【０００１】
本発明は表示装置に関し、より詳細には歩留まりを向上させることができる表示装置に関する。
【背景技術】
【０００２】
一般的に、液晶表示装置は画像を表示するための表示ユニットと、表示ユニットに光を提供するためのバックライト組立体とで構成される。
表示ユニットはデータ信号とゲート信号に応答して画像を表示する液晶表示パネル、データ信号を出力するデータ駆動チップ、及びゲート信号を出力するゲート駆動チップを含む。
【０００３】
また、表示ユニットは、チップオンフィルム（以下、ＣＯＦ）方式でデータ駆動チップが実装されたデータ側テープキャリアパッケージ（以下、ＴＣＰ）、及びＣＯＦ方式でゲート駆動チップが実装されたゲート側ＴＣＰを具備する。この場合、データ側ＴＣＰとゲート側ＴＣＰはアウターリードボンディングＯＬＢ（Ｏｕｔｅｒ  ｌｅａｄ  Ｂｏｎｄｉｎｇ）方式を通じて液晶表示パネルに接続される。
【０００４】
これとは異なり、データ駆動チップ及びゲート駆動チップはチップオングラス（以下、ＣＯＧ）方式によって液晶表示パネル上に直接的に実装されることができる。ＯＣＧ実装方式によって液晶表示パネルのデータ側にはデータラインと接続されるデータ駆動チップが実装され、ゲート側にはゲートラインと接続されるゲート駆動チップが実装される。
【０００５】
ＯＬＢ及びＣＯＧ工程では異方性導電フィルムを熱圧着させることで互いに電気的に接続させる。この過程で、異方性導電フィルムに含まれた接着樹脂の反発力に起因して電気的な接続不良が発生する。特に、駆動チップとＴＣＰの中心から遠くなるほど接着樹脂の反発力が増加するので、駆動チップとＴＣＰの長さが長くなった製品では接続不良の問題が深刻になる。
【発明の開示】
【発明が解決しようとする課題】
【０００６】
従って、本発明の目的は異方性導電フィルムによる電気的な接続不良を防止して歩留まりを向上させるための表示装置を提供することにある。  
【課題を解決するための手段】
【０００７】
本発明の一特徴による表示装置は表示パネル、駆動チップ、異方性導電フィルム及び潤滑層を含む。
前記表示パネルはパッドを通じて駆動信号の入力を受け、前記駆動信号に応答して画像を表示する。前記駆動チップは前記駆動信号を出力する端子を有し、前記異方性導電フィルムは前記表示パネルと前記駆動チップとの間に介在される。前記潤滑層は前記異方性導電フィルムの表面上に形成される。
本発明の他の特徴による表示装置は、表示パネル、フレキシブルフィルム異方性導電フィルム及び潤滑層を含む。
【０００８】
前記表示パネルはパッドを通じて駆動信号の入力を受け、前記駆動信号に応答して画像を表示する。前記フレキシブルフィルムは前記駆動信号を前記表示パネルに伝送するワイヤーを有する。前記異方性導電フィルムは前記表示パネルと前記フレキシブルフィルムとの間に介在され、前記潤滑層は前記異方性導電フィルムの表面上に形成される。
【０００９】
このような表示装置によると、異方性導電フィルムの表面上に形成された潤滑層は表示パネル上に駆動チップを付着する過程で発生する電気的な接続不良を防止することができ、その結果、表示装置の歩留まりを向上させることができる。
【発明を実施するための最良の形態】
【００１０】
以下、図面を参照して本発明の望ましい一実施例をより詳細に説明する。
図１は本発明の一実施例による液晶表示装置の分解斜視図であり、図２は図１に示された表示ユニットの平面図である。
図１に示すように、液晶表示装置１０００は表示ユニット１００、バックライト組立体４００及びトップシャーシ５００を含む。前記バックライト組立体４００は前記表示ユニット１００の下部に具備され光を発生し、前記表示ユニット１００は前記光を用いて画像を表示する。前記トップシャーシ５００は前記表示ユニット１００を前記バックライト組立体４００に固定する。
【００１１】
前記表示ユニット１００は、液晶表示パネル１１０、駆動回路基板３００、フレキシブル印刷回路基板２００、データ駆動チップ１２０及びゲート駆動チップ１８０を具備する。前記駆動回路基板３００は駆動信号を出力し、前記フレキシブル印刷回路基板２００は前記駆動回路基板３００と前記液晶表示パネル１１０とを電気的に接続させる。即ち、前記フレキシブル回路基板２００は前記駆動回路基板３００からの前記駆動信号を前記液晶表示パネル１１０に提供する。
【００１２】
前記液晶表示パネル１１０は薄膜トランジスタ（以下、ＴＦＴ）基板１１２、カラーフィルター基板１１４及び液晶層（図示せず）からなる。前記カラーフィルター基板１１４は前記ＴＦＴ基板１１２に対向して結合し、前記液晶層は前記ＴＦＴ基板１１２と前記カラーフィルター基板１１４との間に介在される。
【００１３】
図２に示されたように、前記ＴＦＴ基板１１２は複数のデータラインＤＬ、複数のゲートラインＧＬ、複数のＴＦＴ１１２ａ及び複数の画素電極１１２ｂを含む。前記複数のデータラインＤＬは前記複数のゲートラインＧＬと互いに絶縁されるように交差する。前記複数のデータラインＤＬと前記複数のゲートラインＧＬによって前記ＴＦＴ基板１１２にはマトリックス形状に複数の画素領域が定義される。前記複数の画素領域には複数のＴＦｔ１１２ａがそれぞれ具備される。前記各ＴＦＴ１１２ａのソース端子及びゲート端子にはそれぞれ対応するデータライン及びゲートラインが接続され、ドレイン端子には対応する画素電極１１２ｂが接続される。ここで、前記画素電極１１２ｂは透明性導電物質からなる。
【００１４】
前記カラーフィルター基板１１４は、レッド、グリーン及びブルー色画素（図示せず）が薄膜工程によって形成された基板であり、前記カラーフィルター基板１１４の全面には透明な導電性材質からなる共通電極（図示せず）が塗布される。
【００１５】
一方、前記データ駆動チップ１２０とゲート駆動チップ１８０はＣＯＧ工程によって前記ＴＦＴ基板１１２上に直接実装される。前記データ駆動チップ１２０は前記複数のデータラインＤＬの一端部に隣接する第１周辺領域ＰＡ１に具備され、前記ゲート駆動チップ１８０は前記複数のゲートラインＧＬの一端部に隣接する第２周辺領域ＰＡ２に具備される。ここで、前記データ駆動チップ１２０は前記複数のデータラインＤＬに電気的に接続され、前記フレキシブル印刷回路基板２００を通じて印加された前記駆動信号のうちデータ信号を前記複数のデータラインＤＬに提供する。前記ゲート駆動チップ１８０は前記複数のゲートラインＧＬに接続され、前記フレキシブル印刷回路基板２００を通じて印加された前記駆動信号のうちゲート信号を前記複数のゲートラインＧＬに順次に提供する。
【００１６】
本発明の一実施例において、前記データ及びゲート駆動チップ１２０、１８０は複数個からなる。
さらに、図１に示すように、前記バックライト組立体４００はランプユニット４１０、導光板４２０及び収納容器４５０を含む。前記ランプユニット４１０は光を発生するランプ４１２及びランプ反射板４１４で構成される。前記導光板４２０は前記ランプユニット４１０から入射された光の経路を変更して前記液晶表示パネル１１０の方向に出射する。前記収納容器４５０は前記ランプユニット４１０と前記導光板４２０を収納する。
【００１７】
また、前記バックライト組立体４００は複数の光学シート４３０及び反射板４４０をさらに含む。前記複数の光学シート４３０は前記導光板４２０から前記計液晶表示パネル１１０の方向に出射される光の正面輝度及び視野角特性を向上させる。本発明の一例で、前記複数の光学シート４３０は光の拡散のための拡散シート及び光の集光のための少なくとも一枚の集光シートからなる。前記反射板４４０は前記導光板４２０の下部に漏洩される光を前記導光板４２０に再度反射させ光の利用効率を向上させる。
【００１８】
本発明の一実施例において、前記バックライト組立体４００は前記ランプ４１２が側面に配置されるエッジ型で構成されるが、複数の前記ランプ４１２が前記液晶表示パネル１１０の下部に配置される直下型で構成されることができる。
【００１９】
図３は図２に示されたデータ駆動チップの平面図であり、図４はデータ駆動チップが実装される位置に対応するＴＦＴ基板を示す平面図である。
図３に示すように、データ駆動チップ１２０は本体１２１、複数の入力端子ＩＴ、複数の第１出力端子ＯＴ１、複数の第２出力端子ＯＴ２及び複数の第３出力端子ＯＴ３を含む。
【００２０】
前記本体１２１は絶縁物質からなり、第１及び第２長辺１２１ａ、１２１ｂと前記第１及び第２長辺１２１ａ、１２１ｂに垂直な第１及び第２短辺１２１ｃ、１２１ｄを有する直六面体形状を有する。
前記複数の入力端子ＩＴは前記本体１２１の一面から所定高さに突出され、前記第１長辺１２１ａに隣接した第１端部で前記第１長辺１２１ａに沿って一列に配列される。前記複数の第１出力端子ＯＴ１は前記本体１２１の一面から突出され、前記第１端部から第１短辺１２１ｃに沿って所定距離に離隔される第２端部、即ち、第２長辺１２１ｂに隣接した第２端部で前記第２長辺１２１ｂに沿って一列に配列される。
【００２１】
前記複数の第２出力端子ＯＴ２は前記本体１２１の一面から突出され、前記第１端部に垂直な第３端部、即ち、前記第１短辺１２１ｃと隣接した第３端部で前記第１短辺１２１ｃに沿って一列に配列される。前記複数の第３出力端子ＯＴ３は前記本体１２１の一面から突出され、前記第３端部から第１及び第２長辺１２１ａ、１２１ｂに沿って所定距離に離隔される第４端部、即ち、前記第２短辺１２１ｄと隣接した第４端部に形成され、前記第２短辺１２１ｄに沿って一列に配列される。ここで、前記複数の第２及び第３出力端子ＯＴ２、ＯＴ３は前記第３及び第４端部でそれぞれ２列に配列される。
【００２２】
前記複数の第１ないし第３出力端子ＯＴ１、ＯＴ２、ＯＴ３は前記複数の入力端子ＩＴと同じ形状及び同じ大きさに形成されることができるが、一般的に出力端子ＯＴ１、ＯＴ２、ＯＴ３の総個数が入力端子ＩＴの個数より多いから前記入力端子ＩＴより小さい大きさに形成される。 
【００２３】
図４に示すように、前記ＴＦＴ基板１１２はデータ駆動チップ１２０が実装される実装領域ＭＡに入力パッドＩＰ、第１、第２及び第３出力パッドＯＰ１、ＯＰ２、ＯＰ３を具備し、前記実装領域ＭＡに隣接して入力ラインＩＬ及び複数のデータラインＤＬを具備する。
【００２４】
前記入力パッドＩＰは前記ＴＦＴ基板１１２上に一列に形成され、前記入力ラインＩＬと電気的に接続される。図示していないが、前記入力ラインＩＬはフレキシブル印刷回路基板２００から駆動信号の入力を受ける。前記入力パッドＩＰは図３に示された入力端子ＩＴと一対一対応して電気的に接続され、前記駆動信号は前記入力ラインＩＬ、入力パッドＩＰ及び入力端子ＩＴを通じて前記データ駆動チップ１２０に提供される。
【００２５】
前記第１出力パッドＯＰ１は前記ＴＦＴ基板１１２上で前記入力パッドＩＰと所定距離離隔されて一列に形成され、前記複数のデータラインＤＬのうち第１グループＡ１と電気的に接続される。前記第１出力パッドＯＰ１は図３に示された第１出力端子ＯＴ１と一対一対応して電気的に接続される。
【００２６】
前記第２出力パッドＯＰ２は前記ＴＦＴ基板１１２上に前記第１出力パッドＯＰ１と垂直な方向に配列され、前記複数のデータラインＤＬのうち第２グループＡ２と電気的に接続される。前記第２出力パッドＯＰ２は図３に示された第２出力端子ＯＴ２と一対一対応して電気的に接続される。前記第３出力パッドＯＰ３は前記第２出力パッドＯＰ２と所定距離離隔され前記第１出力パッドＯＰ１と垂直な方向に配列され、前記複数のデータラインＤＬのうち第３グループＡ３と電気的に接続される。前記第３出力パッドＯＰ３は図３に示された第３出力端子ＯＴ３と一対一対応して電気的に接続される。ここで、前記第２及び第３出力パッドＯＰ２、ＯＰ３それぞれは２列に配置される。
【００２７】
前記データ駆動チップ１２０は前記駆動信号のうちデータ信号を前記第１ないし第３出力端子ＯＴ１、ＯＴ２、ＯＴ３を通じて出力する。前記データ駆動チップ１２０から出力された前記データ信号は前記第１ないし第３出力パッドＯＰ１、ＯＰ２、ＯＰ３を通じて前記複数のデータラインＤＬの第１ないし第３グループＡ１、Ａ２、Ａ３にそれぞれ提供される。
【００２８】
図２に示されたゲート駆動チップ１３０と前記ゲート駆動チップ１８０が実装されるＴＦＴ基板１１２の実装領域は図３及び図４に示された前記データ駆動チップ１２０と前記データ駆動チップ１２０が実装される前記ＴＦＴ基板１１２の実装領域ＭＡと同一の構造を有する。
【００２９】
図５はデータ駆動チップと表示パネルとの結合過程を示す断面図であり、図６は図２に示された切断線Ｉ−Ｉ’線に沿って切断した断面図である。
図５に示すように、Ｉデータ駆動チップ１２０はＣＯＧ工程によってＴＦＴ基板１１２の実装領域ＭＡに実装される。即ち、前記データ駆動チップ１２０と前記ＴＦＴ基板１１２との間に異方性導電フィルム１３０が介在されると、外部からの温度及び圧力によって前記データ駆動チップ１２０は前記ＴＦＴ基板１１２に結合される。
【００３０】
前記異方性導電フィルム１３０は接着樹脂１３１及び前記接着樹脂１３１内に不規則的に分布される複数の導電粒子１３２からなる。前記接着樹脂１３１は熱硬化性樹脂からなり、前記複数の導電粒子１３２は小さい球形状を有する。
前記異方性導電フィルム１３０の表面には潤滑層１４０がさらに形成される。前記潤滑層１４０はオイルまたはシリコンからなる。
【００３１】
図６は示されたように、外部から加えられた圧力によって前記データ駆動チップ１２０と前記ＴＦＴ基板１１２との距離が狭くなる。従って、前記データ駆動チップ１２０と前記ＴＦＴ基板１１２との間に介在された前記複数の導電粒子１３２は前記データ駆動チップ１２０の第１出力端子ＯＴ１と前記ＴＦＴ基板１１２の第１出力パッドＯＰ１を電気的に接続させる。
また、前記接着樹脂１３１は外部から加えられた熱によって硬化され前記データ駆動チップ１２０を前記ＴＦＴ基板１１２に固定させる。
【００３２】
前記潤滑層１４０はＣＯＧ工程で前記データ駆動チップ１２０に対する前記接着樹脂１３１の反発力を減少させる役割を遂行する。ＣＯＧ工程で前記接着樹脂１３１の反発力が減少されると、外部から加えられた圧力によって前記複数の導電粒子１３２は容易に変形させることができる。その結果、前記データ駆動チップ１２０の第１出力端子ＯＴ１と前記ＴＦＴ基板１１２の第１出力パッドＯＰ１は変形された前記複数の導電粒子１３２を通じて電気的に接続されることができる。従って、前記データ駆動チップ１２０と前記ＴＦＴ基板１１２との間で電気的な接続不良が発生することを防止することができる。  
【００３３】
図７は位置による異方性導電フィルムの反発力を示すグラフであり、図８は位置による異方性導電フィルムに加えられた応力を示すグラフである。
【００３４】
図７及び図８に示すように、第１グラフＧ１は潤滑層（１４０、図６に図示）を具備していない従来の液晶表示装置で位置によって測定した接着樹脂の反発力を示し、第２グラフＧ２は前記潤滑層１４０を具備する本発明の液晶表示装置で位置に従って測定した接着樹脂（１３１、図６に図示）の反発力を示す。第３グラフＧ３は前記潤滑層１４０を具備していない従来の液晶表示装置で位置に従って測定した接着樹脂に加えられた応力を示し、第４グラフＧ４は前記潤滑層１４０を具備する本発明の液晶表示装置で位置に従って測定した接着樹脂１３１に加えられた応力を示す。
【００３５】
前記第１及び第３グラフＧ１、Ｇ３に示されたように、データ駆動チップ（１２０、図６に図示）の中心（０．００００ｍｍ）から遠くなるほど反発力と応力は全部増加した。具体的には、前記反発力と応力は０．００００ｍｍと０．０００７ｍｍとの間で殆どゼロに保持され、０．０００７ｍｍと０．００１１ｍｍとの間で大きく増加した。
【００３６】
一般的に、前記データ駆動チップ１２０の中心から遠くなるほど外部から加えられた圧力による接着樹脂１３１の流動速度が増加する。流動速度が増加されることによって前記接着樹脂１３１の反発力と前記接着樹脂１３１に加えられる応力が増加される。前記接着樹脂１３１の反発力によって前記データ駆動チップ１２０がＴＦＴ基板（１１２、図６に図示）から押し上がれ、その結果、前記データ駆動チップ１２０と前記ＴＦＴ基板１１２との間で電気的な接続不良が発生する。
【００３７】
一方、前記第２及び第４グラフＧ２、Ｇ４に示されたように、本発明で前記接着樹脂１３１の反発力と前記接着樹脂１３１に加えられた応力０．００００ｍｍと０．０００１２ｍｍとの間で略ゼロに保持された。
【００３８】
本発明で、前記データ駆動チップ１２０と前記異方性導電フィルム１３０との間に介在された前記潤滑層１４０は外部から加えられた圧力による前記接着樹脂１３１と前記データ駆動チップ１２０との摩擦を減少させる。その結果、前記データ駆動チップ１２０の中心０．００００ｍｍから遠くなっても前記接着樹脂１３１の流動速度が増加することを防止することができる。それにより、前記接着樹脂１３１の反発力を減少させることができ、外部から提供された圧力は前記接着樹脂１３１内に分布された複数の導電粒子（１３２、図６に図示）に正常的に提供される。従って、データ駆動チップ１２０の出力端子と前記ＴＦＴ基板１１２の出力パッドとが電気的に導通されることができ、その結果、前記データ駆動チップ１２０と前記ＴＦＴ基板１１２との間で発生される電気的な接続不良を防止することができる。
【００３９】
図９は本発明の他の実施例によるデータ駆動チップと液晶表示パネルとの結合断面図である。
図７に示すように、データ駆動チップ１２０と向き合う異方性導電フィルム１３０の第１面には第１潤滑層１４０が形成され、ＴＦＴ基板１１２と向き合う第２面には第２潤滑層１５０が形成される。
【００４０】
前記第１潤滑層１４０はＣＯＧ工程で前記データ駆動チップ１２０と前記異方性導電フィルム１３０との摩擦を減少させ、前記第２潤滑層１５０は前記ＴＦＴ基板１１２と前記異方性導電フィルム１３０との摩擦を減少させる。
従って、前記データ駆動チップ１２０と前記ＴＦＴ基板１１２に対する接着樹脂１３１の反発力を減少させることができる。その結果、複数の導電粒子１３２は前記データ駆動チップ１２０の第１出力端子ＯＴ１と前記ＴＦＴ基板１１２の第１出力パッドＯＰ１とを電気的に接続させることができる。これにより、前記データ駆動チップ１２０と前記ＴＦＴ基板１１２との間で電気的な接続不良が発生することを防止することができる。
【００４１】
図１０は本発明のさらにまたの実施例による表示ユニットの平面図である。但し、図１０に示された構成要素のうち図２に示された構成要素と同一の構成要素に対しては同一の参照符号を併記し、それに対する具体的な説明は省略する。
【００４２】
図１０に示すように、本発明のさらにまたの実施例による表示ユニット１００は、液晶表示パネル１１０、データ側ＴＣＰ１６０、ゲート側ＴＣＰ１７０、データ駆動チップ１２０、ゲート駆動チップ１３０、データ側印刷回路基板（以下、ＰＣＢ）２１０及びゲート側ＰＣＢ２３０を含む。
【００４３】
前記液晶表示パネルはＴＦＴ基板１１２、カラーフィルター基板１１４及び液晶層（図示せず）からなる。前記ＴＦＴ基板１１２は複数のデータラインＤＬ、複数のゲートラインＧＬ、複数のＴＦＴ１１２ａ及び複数の画素電極１１２ｂを含む。前記ＴＦＴ基板１１２は複数のデータラインＤＬの一端部と隣接する第１周辺領域ＰＡ１及び前記複数のゲートラインＧＬの一端部と隣接する第２周辺領域ＰＡ２を具備する。
【００４４】
前記データ側ＴＣＰ２１０の第１端部は前記ＴＦＴ基板１１２の前記第１周辺領域ＰＡ１に付着され、第２端部は前記データ側ＰＣＢ２１０に付着される。前記ゲート側ＴＣＰ１７０の第１端部は前記ＴＦＴ基板１１２の前記第２周辺領域ＰＡ２に付着され、第２端部は前記ゲート側ＰＣＢ２３０に付着される。従って、前記データ側ＰＣＢ２１０と前記ＴＦＴ基板１１２は前記データ側ＴＣＰ１６０によって電気的に接続され、前記ゲート側ＰＣＢ２３０と前記ＴＦＴ基板１１２は前記ゲート側ＴＣＰ１７０によって電気的に接続される。
【００４５】
前記データ側ＴＣＰ１６０上には前記データ駆動チップ１２０が実装され、前記ゲート側ＴＣＰ１７０上には前記ゲート駆動チップ１３０が実装される。前記データ駆動チップ１２０は前記データ側ＰＣＢ２１０から提供された駆動信号のうちデータ信号を出力し、前記ゲート駆動チップ１３０は前記ゲート側ＰＣＢ２３０から提供された駆動信号のうちゲート信号を出力する。
前記データ側ＴＣＰ１６０と前記ゲート側ＴＣＰ１７０は、ＯＬＢ工程を通じて前記ＴＦＴ基板１１２に付着される。
【００４６】
図１１はデータ駆動チップと表示パネルとの結合過程を示す断面図であり、図１２は図１０に示された切断線Ｉ−Ｉ’線に沿って切断した断面図である。
図１１に示すように、データ側ＴＣＰ１６０とＴＦＴ基板１１２との間に異方性導電フィルム１３０が介在されると、外部からの温度及び圧力によって前記データ側ＴＣＰ１６０は前記ＴＦＴ基板１１２に結合される。
前記異方性導電フィルム１３０は接着樹脂１３１及び前記接着樹脂１３１内に不規則に分布される複数の導電粒子１３２で構成される。前記異方性導電フィルム１３０の表面には潤滑層１４０がさらに形成される。前記潤滑層１４０はオイルまたはシリコンからなる。
【００４７】
図１２に示されたように、外部から加えられた圧力によって前記データ側ＴＣＰ１６０と前記ＴＦＴ基板１１２との距離が狭くなる。従って、前記データ側ＴＣＰ１６０と前記ＴＦＴ基板１１２との間に介在された前記複数の導電粒子１３２は、前記データ側ＴＣＰ１６０の一面に形成された出力リードＬＤと前記ＴＦＴ基板１１２の第１出力パッドＯＰ１とを電気的に接続させる。また、前記接着樹脂１３１は外部から加えられた熱によって硬貨され前記データ駆動チップ１２０を前記ＴＦＴ基板１１２に固定させる。
【００４８】
前記潤滑層１４０はＯＬＢ工程で前記データ側ＴＣＰ１６０に対する前記接着樹脂１３１の反発力を減少させる役割を遂行する。ＯＬＢ工程で前記接着樹脂１３１の反発力が減少されると、外部から加えられた圧力によって前記複数の導電粒子１３２は容易に変形させることができる。その結果、前記データ側ＴＣＰ１６０の出力リードＬＤと前記ＴＦＴ基板１１２の第１出力パッドＯＰ１は変形された前記複数の導電粒子１３２を通じて電気的に接続されることができる。従って、前記データ側ＴＣＰ１６０と前記ＴＦＴ基板１１２との間で電気的な接続不良が発生することを防止することができる。
【００４９】
図示していないが、図１０に示されたゲート側ＴＣＰ１７０は前述した工程を経て前記ＴＦＴ基板１１２に付着され、この過程でも前記ゲート側ＴＣＰと前記ＴＦＴ基板１１２との間には異方性導電フィルム１３０と潤滑層１４０が介在される。従って、前記ゲート側ＴＣＰ１７０と前記ＴＦＴ基板１１２との間で電気的な接続不良が発生することを防止することができる。
【００５０】
このような表示装置によると、駆動チップと表示パネルとの間に介在され駆動チップを表示パネルに付着させながら電気的に接続させる異方性導電フィルムの表面上には潤滑層が形成され、前記潤滑層ＣＯＧまたはＯＬＢ工程で異方性導電フィルムに含まれた接着樹脂の反発力を減少させる。
【００５１】
従って、ＣＯＧまたはＯＬＢ工程で前記接着樹脂の反発力による駆動チップまたはフィルムと表示パネルとの電気的な接続不良を防止することができ、それにより、表示装置の歩留まりを向上させることができる。  
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００５２】
【図１】本発明の一実施例による液晶表示装置の分解斜視図である。
【図２】図１に示された表示ユニットの平面図である。
【図３】図２に示されたデータ駆動チップの平面図である。
【図４】駆動チップが実装される位置に対応するＴＦＴ基板を示す平面図である。
【図５】データ駆動チップと表示パネルとの結合過程を示す断面図である。
【図６】図２に示された切断線Ｉ−Ｉ’線に沿って切断した断面図である。
【図７】位置による異方性導電フィルムの反発力示すグラフである。
【図８】位置による異方性導電フィルムに加えられた応力を示すグラフである。
【図９】本発明の他の実施例によるデータ駆動チップと液晶表示パネルとの結合断面図である。
【図１０】本発明のさらにまたの実施例による表示ユニットの平面図である。
【図１１】データ駆動チップと表示パネルとの結合過程を示す断面図である。
【図１２】図１０に示された切断線Ｉ−Ｉ’線に沿って切断した断面図である。
【符号の説明】
【００５３】
１００      表示ユニット
１１０      液晶表示パネル
１１２      ＴＦＴ基板
１２０      データ駆動チップ
１３０      異方性導電フィルム
１３１      接着樹脂
１３２      複数の導電粒子
１４０      潤滑層
１８０      ゲート駆動チップ
２００      フレキシブル印刷回路基板
４００      バックライト組立体
５００      トップシャーシ
１０００      液晶表示装置
【図１】
2006209083.tif 000003
【図２】
2006209083.tif 000004
【図３】
2006209083.tif 000005
【図４】
2006209083.tif 000006
【図５】
2006209083.tif 000007
【図６】
2006209083.tif 000008
【図７】
2006209083.tif 000009
【図８】
2006209083.tif 000010
【図９】
2006209083.tif 000011
【図１０】
2006209083.tif 000012
【図１１】
2006209083.tif 000013
【図１２】
2006209083.tif 000014